(57)【特許請求の範囲】
【請求項１】
撮像素子と、前記撮像素子を介して取得した画像を記録媒体に記録する記録手段と、を備えた電子カメラにおいて、
ユーザーの指示を当該電子カメラに入力するための入力装置として、文字や図形を表示し得る表示部と、前記表示部の上下左右の４つの位置に、上下左右の４方向に対応する上キー、下キー、左キー、右キーの４つの操作キーが配置されてなる十字キーと、を備えるとともに、前記電子カメラは前記表示部とは異なるカラー液晶ディスプレイを備えており、
前記表示部は、前記４つの操作キーの近傍に位置する上表示部、下表示部、左表示部、右表示部及びこれらの中央に位置する中央表示部の５つの表示エリアに区分され、前記上表示部、前記下表示部、前記左表示部、前記右表示部の各表示エリアには、それぞれ対応する操作キーの機能に関する情報が表示されるとともに、前記中央表示部には当該電子カメラの動作モードを表す情報が表示され、
前記表示部と前記カラー液晶ディスプレイの表示制御は連動しており、
前記カラー液晶ディスプレイの画面の下段に複数のメニュー項目が横に並んで表示され、これら項目の中から前記十字キーの左キー又は右キーによって所望の項目が選択されると、当該選択に係るメニュー項目からサブメニュー枠がポップアップ表示されるとともに、当該サブメニュー枠内に複数の選択内容が縦方向に並んで表示され、これら選択内容の中から前記十字キーの上キー又は下キーによって一つを選択し得る構成であることを特徴とする電子カメラ。
【請求項２】
前記４つの操作キーは、同一円周上に沿って対称的な位置関係で配置されていることを特徴とする請求項１の電子カメラ。
【請求項３】
前記動作モードに応じて前記表示部のバックライト色が変更されることを特徴とする請求項１又は２の電子カメラ。
【請求項４】
前記４つの操作キーのうち少なくとも一つの操作キーの機能とその操作キーにより設定される当該電子カメラのモード状態を示す情報が、当該操作キーの近傍の表示エリアに表示されることを特徴とする請求項１乃至３の何れか１項に記載の電子カメラ。
【請求項５】
前記４つの操作キーのうち機能が割り与えられていないキーが存在する場合、当該操作キーの近傍に位置する表示エリアの表示が消されることを特徴とする請求項１乃至４の何れか１項に記載の電子カメラ。
【請求項６】
前記表示部はドットマトリックス表示部であることを特徴とする請求項１乃至５の何れか１項に記載の電子カメラ。
【請求項７】
請求項１乃至６の何れか１項に記載の電子カメラにおいて、該電子カメラは、前記記録手段により画像を記録する撮影モードと、記録媒体に格納されている画像を再生する再生モードとを有し、これらモードの切り換えに応じて前記表示部の表示内容が切り換えられることを特徴とする電子カメラ。
【請求項８】
請求項１乃至７の何れか１項に記載の電子カメラにおいて、
前記十字キーは、前記カラー液晶ディスプレイに表示されるメニュー項目を選択するための操作キーとして機能するとともに、
前記上キーと前記下キーは、前記カラー液晶ディスプレイに表示される画像の拡大、縮小を指示する操作キーとして機能し、
前記左キーと前記右キーは、マクロモードの設定とストロボ設定を行う操作キーとして機能することを特徴とする電子カメラ。
【請求項９】
請求項１乃至８の何れか１項に記載の電子カメラにおいて、
次の撮影を開始できないときは前記操作キーの機能に関する情報の表示を行わないことを特徴とする電子カメラ。
【発明の詳細な説明】
【技術分野】
【０００１】
本発明は電子カメラの操作部に適用される入力装置に係り、特に、デジタルカメラや携帯情報端末など、小型で多機能な電子機器に好適な入力装置並びにかかる入力装置を適用したカメラに関する。
【背景技術】
【０００２】
特開平９−１６３２１４号公報には、各種機能を有するビデオカメラの操作性を高めるように工夫されたカメラ一体型記録再生装置が開示されている。この装置では、液晶表示部を利用して操作キーの機能を表示しており、動作モードの切り換えや撮影機能の選択など、各種機能を動作モード毎にわかり易く表示するようになっている。
【０００３】
また、特開平１１−３２１５４号公報には、操作パネルに表示装置を備えた複写機が開示されており、該表示装置に複写機の操作方法の案内や各種指示を行うための操作キーが表示される。
【特許文献１】特開平９−１６３２１４号公報
【特許文献２】特開平１１−３２１５４号公報
【発明の開示】
【発明が解決しようとする課題】
【０００４】
しかしながら、近年における電子機器の多機能化に伴い、機器の操作において複雑なボタン操作が必要になってきている。特に、デジタルカメラ等の携帯用電子機器では小型化によって入力用ボタン（操作キー）の数も限られ、少ない操作キーを複雑に組み合わせて操作しなければならず、操作性の高い入力装置の開発が望まれている。
【０００５】
本発明はこのような事情に鑑みてなされたもので、少ない操作キーで多様な指示入力が可能な入力装置を提供することを目的とする。また、かかる入力装置を適用して操作性の高い電子カメラを提供することを目的とする。
【課題を解決するための手段】
【０００６】
本発明は前記目的を達成するために、撮像素子と、前記撮像素子を介して取得した画像を記録媒体に記録する記録手段と、を備えた電子カメラにおいて、ユーザーの指示を当該電子カメラに入力するための入力装置として、文字や図形を表示し得る表示部と、前記表示部の上下左右の４つの位置に、上下左右の４方向に対応する上キー、下キー、左キー、右キーの４つの操作キーが配置されてなる十字キーと、を備えるとともに、前記電子カメラは前記表示部とは異なるカラー液晶ディスプレイを備えており、前記表示部は、前記４つの操作キーの近傍に位置する上表示部、下表示部、左表示部、右表示部及びこれらの中央に位置する中央表示部の５つの表示エリアに区分され、前記上表示部、前記下表示部、前記左表示部、前記右表示部の各表示エリアには、それぞれ対応する操作キーの機能に関する情報が表示されるとともに、前記中央表示部には当該電子カメラの動作モードを表す情報が表示され、前記表示部と前記カラー液晶ディスプレイの表示制御は連動しており、前記カラー液晶ディスプレイの画面の下段に複数のメニュー項目が横に並んで表示され、これら項目の中から前記十字キーの左キー又は右キーによって所望の項目が選択されると、当該選択に係るメニュー項目からサブメニュー枠がポップアップ表示されるとともに、当該サブメニュー枠内に複数の選択内容が縦方向に並んで表示され、これら選択内容の中から前記十字キーの上キー又は下キーによって一つを選択し得る構成であることを特徴とする。
【発明の効果】
【０００７】
本発明によれば、小型で多機能なカメラを達成でき、操作性の向上を図ることができる。
【発明を実施するための最良の形態】
【０００８】
以下添付図面に従って本発明に係る電子カメラの好ましい実施の形態について詳説する。
【０００９】
図１は本発明が適用されるデジタルカメラの正面図、図２はその平面図である。このカメラ１０は、動画・静止画及び音声の記録再生が可能なデジタルカメラであり、カメラ前面にはレンズバリア１２、ファインダー窓１４、ストロボ調光センサ１６、セルフタイマーランプ１８、マイク部２０が設けられている。レンズバリア１２の背後には撮影レンズ（図１中不図示）が配設されており、撮影時にはレンズバリア１２がスライドして本体内側の所定の退避位置（開位置）に移動することにより撮影レンズが現れる。
【００１０】
撮影レンズの後方には撮像素子としてのＣＣＤイメージセンサ（図１中不図示、図５中符号６６として記載、以下、ＣＣＤという。）が配置され、該ＣＣＤ６６から読み出された画像信号は所定の信号処理を経てテジタル画像データに変換される。また、図１には示されていないが、カメラ１０の側面（図１において右側面）には、メモリカードの挿入口（カードスロット）、スピーカー部、映像出力端子（VIDEO OUT ）、シリアル通信端子、ＵＳＢ端子及び電源入力端子（例えば、DC IN 3V用の端子）が設けられている。図１中符号２２はカードスロットの蓋（カード蓋）、２４はグリップ部、２６はストラップ取り付け部、２８は電池蓋である。
【００１１】
また、カメラ１０の上面にはレリーズボタン３０、モードダイヤル３２及びポップアップ式のストロボ発光装置３４が設けられている。レリーズボタン３０は、画像の記録開始を指示する手段であり、動画記録時には録画開始と録画停止を指示する録画ボタンとして兼用される。モードダイヤル３２はレリーズボタン３０の外周に回動自在に設けられたダイヤルスイッチであり、このダイヤルを回して指標３５に合わせて停止させることにより、カメラ１０のモードを変更することができる。リング形のモードダイヤル３２の内側にレリーズボタン３０を配置する構造によって、これら操作部材をスペース効率よくカメラ本体に設けることができる。
【００１２】
図３はカメラ１０の背面図である。カメラ１０の背面には、ファインダー３６、液晶モニター３８、電源スイッチ４０、モード選択レバー４２、十字キー４４、ドットマトリックス液晶表示部（以下、ドットマトリックス液晶という。）４６、シフトキー４８、表示キー５０、メニュー／実行キー５２、キャンセルキー５４等が設けられている。
【００１３】
液晶モニター３８は、カラー液晶ディスプレイで構成されており、ＣＣＤを介して取り込まれる画像やメモリカードから読み出した再生画像が表示されるとともに、モード情報、電池残量警告、撮影日時、標準撮影可能枚数、再生コマ番号などの各種情報も表示される。
【００１４】
電源スイッチ４０はプッシュスイッチで構成され、該スイッチを押すことによりカメラ１０の電源をＯＮ／ＯＦＦできる。カメラ１０はオートパワーオフ機能を有し、無操作状態が所定時間（例えば２分間）継続した場合、電源を自動的にオフするようになっている。オートパワーオフの作動時間はユーザーが設定できるようになっている。オートパワーオフ機能によってパワーオフされた状態から復帰させるには、電源スイッチ４０を再押しすればよい。
【００１５】
モード選択レバー４２は、撮影系モードと再生系モードを選択切り換えするための手段である。このモード選択レバー４２は、電源スイッチ４０の外周に回動自在に支持され、撮影系モード位置（上側停止位置）と再生系モード位置（下側停止位置）の２つの位置で停止可能なレバースイッチで構成されている。
【００１６】
十字キー４４は、上キー４４Ｕ、下キー４４Ｄ、左キー４４Ｌ、及び右キー４４Ｒの４つのプッシュスイッチからなり、これら４つのキーは同一円周上に沿って対称的な位置関係で配置されている。十字キー４４の内側に円形の窓部５６が形成されており、この窓部５６にドットマトリックス液晶４６が設けられている。ドットマトリックス液晶４６のデバイス自体は窓部５６よりも大きい正方形状の表示面を有しているが、前記窓部５６によって表示範囲が制限されている。
【００１７】
ドットマトリックス液晶４６には、上下左右の各キー４４Ｕ、４４Ｄ、４４Ｌ、４４Ｒの機能及びモード状態などが表示される。詳細な表示形態については後述するが、ドットマトリックス液晶４６の表示面は、各キー４４Ｕ、４４Ｄ、４４Ｌ、４４Ｒの近傍に位置する上表示部４６Ｕ、下表示部４６Ｄ、左表示部４６Ｌ、右表示部４６Ｒ及びこれらの中央に位置する中央表示部４６Ｃの５つの表示エリアに区分され（図７（ａ）参照）、上下左右の各表示部には十字キー４４の各キー４４Ｕ、４４Ｄ、４４Ｌ、４４Ｒの機能に関するマーク及び該当する場合にはそのキーによって設定されている状態を表すマークが表示され、前記中央表示部４６Ｃにはカメラ１０の動作モード（主モード）を表すマークが表示される。
【００１８】
ドットマトリックス液晶４６と液晶モニター３８の表示制御はリンク（連動）しており、十字キー４４の内側にドットマトリックス液晶４６が配置されて成る表示機能付き操作部により多機能操作部が実現されている。
【００１９】
シフトキー４８は、十字キー４４その他のキースイッチの機能を更に拡張するためのプッシュスイッチである。必要に応じてシフトキー４８を押すと、液晶モニター３８にはシフトキーを用いる拡張操作の案内を示すシフトガイダンスがオンスクリーン表示される。ユーザーはそのガイダンスにしたがって所定のキー操作を行うことにより、例えば、モニターの明るさ調整などの種々の設定入力が可能である。
【００２０】
表示キー５０は、撮影モード時に液晶モニター３８の表示をＯＮ／ＯＦＦ切り換えするためのスイッチである。再生モード時には該キー５０を一回押す毎に、「一コマ再生のオンスクリーンディスプレイ（ＯＳＤ）表示」→「一コマ再生のＯＳＤ表示なし」→「マルチ再生（３秒間のＯＳＤ表示付き）」とサイクリックに循環する。ただし、メニュー表示中は「一コマ再生」←→「マルチ再生」と切り換わる。
【００２１】
撮影モードにおいて、表示キー５０を押下操作すると液晶モニター３８の表示をＯＮ／ＯＦＦでき、ファインダー３６を覗いて画角合わせを行う省電力撮影モードとすることができる。ただし、マクロモード時には液晶モニター３８をＯＦＦすることはできないようになっている。
【００２２】
ファインダー３６の脇にはファインダーランプ５８が配設されており、該ランプの点灯色と点灯状態（点灯／点滅）の組み合わせによってカメラ１０の動作状況や状態を表すようになっている。
【００２３】
メニュー／実行キー５２は、各モードの通常画面からメニュー画面へ遷移させる時、或いは、各モードのメニュー画面においては、選択項目を有効にして通常画面（メニュー階層が複数にわたっている場合には、一つ前の画面）に遷移させる時などに使用される。具体的には、撮影モード及び再生モード時のメニュー表示、選択項目の確定、消去項目の選択確定と消去実行、プロテクト項目の選択確定と実行、プリント指定項目の選択確定と実行、メニュー項目の選択確定、日時設定の選択確定、撮影メニューへの復帰などの場合に使用される。
【００２４】
キャンセルキー５４は、メニューから選んだ項目の取消（キャンセル）や一つ前の操作状態に戻る（undo）時などに使用される。
【００２５】
モード選択レバー４２と十字キー４４の左キー４４Ｌの間の領域には、指置き部６０に相当する小さな突起列がエンボス状に形成されている。この指置き部６０は十字キー４４その他の各操作部を操作するときに親指が移動する範囲の略中央位置に設けられており、親指を置いておく場所として適しているとともに、カメラ１０を安定して保持することができる位置でもある。
【００２６】
図４はモードダイヤル３２の拡大図である。モードダイヤル３２は、セットアップモード、ムービー撮影モード、連写モード、マニュアル撮影モード、オート撮影モード、人物撮影（ポートレート）モード、風景撮影モード、夜景撮影モードの各種モードを選択切り換えするための手段である。モードダイヤル３２の上面には各モードを表すシンボルマーク（モードを象徴する絵文字や記号若しくはこれらの組み合わせ）が付されており、希望するモードのマークを前記指標３５の位置に合わせると、そのモードに設定される。
【００２７】
例えば、セットアップモードが選択されると、液晶モニター３８にセットアップ画面が表示される。セットアップメニューには、記録画質（クオリティー）、画素数、立ち上げ時の液晶モニター３８のＯＮ／ＯＦＦ選択、オートパワーオフ時間、オープニング画面の表示設定、日時設定などの各種設定項目がある。
【００２８】
撮影者は十字キー４４の上／下キー４４Ｕ、４４Ｄを操作して、セットアップ画面から変更したい項目を選択し、左／右キー４４Ｌ、４４Ｒで設定内容を変更してから実行キー５２で確定を行う。
【００２９】
例えば、クオリティーの設定項目では、撮影の目的に合わせて、ファイン、ノーマル、ベーシックの３種類の画質（記録圧縮率）を選択することができ、ファインは１／４（ＪＰＥＧ）圧縮、ノーマルは１／８（ＪＰＥＧ）圧縮、ベーシックは１／１６（ＪＰＥＧ）圧縮となる。ピクセルの設定では、２４００×１８００、１２８０×９６０、６４０×４８０の何れかを選択できる。オートパワーオフ時間の設定では、５分、２分、又はオートパワー機能ＯＦＦの何れかを選択できる。オープニング画面の設定では、電源ＯＮ時に液晶モニター３８に所定のオープニング画面を表示させる「ＯＮ設定」と、オープニング画面を表示させない「ＯＦＦ設定」の選択が可能であり、また「画面登録」を選択すると、オープニング画面として表示させる画像を登録・変更することができる。
【００３０】
図５はカメラ１０のブロック図である。レンズバリア１２の背後に配置されている撮影光学系６２は、３倍ズームレンズ（例えばｆ＝７．４ｍｍ〜２２ｍｍ：３５ｍｍカメラ換算で３５ｍｍ〜１０５ｍｍ相当）、絞り及びメカシャッターを含む。レンズバリア１２を開閉駆動させる手段には、ズームモータを備えたズーム駆動手段６３が兼用されている。
【００３１】
ファインダー３６には前記撮影光学系６２に連動するズームファインダーが用いられている。ファインダーランプ５８は、赤色発光ダイオード（ＬＥＤ）５８Ｒと、緑色発光ＬＥＤ５８Ｇの２つのＬＥＤからなり、カメラ１０の動作状況に応じてこれらＬＥＤ５８Ｒ、５８Ｇが点灯／点滅、若しくは同時点灯／同時点滅制御がされ、赤、緑、橙色の３色の点灯／点滅の表示が行われる。
【００３２】
撮影光学系６２を介して入射した光は、光学ローパスフィルター６４を通してＣＣＤ６６の受光面に結像される。ＣＣＤ６６は、感光画素に相当する受光センサが蜂の巣型に二次元的に配列されてなるハニカム構造を有し、カラーフィルターはいわゆる「斜めベイヤー配列」の配列形態が採用されている。もちろん、Ｇストライプやベイヤー配列など周知構造のＣＣＤを適用してもよい。
【００３３】
ＣＣＤ６６には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ６６は、シャッターゲートパルスによって各センサに蓄積される電荷の蓄積時間（シャッタースピード）を制御する、いわゆる電子シャッター機能を有している。
【００３４】
ＣＣＤ６６の受光面に結像された被写体像は、各受光センサで入射光量に応じた量の信号電荷に変換される。このようにして蓄積された信号電荷は、ＣＣＤ駆動回路６８から加えられるＣＣＤ駆動パルスによって読み出され、信号電荷に応じた電圧信号（アナログ画像信号）として順次ＣＣＤ６６から出力される。
【００３５】
ＣＣＤ６６から読み出された信号は、アナログ処理部７０に加えられる。アナログ処理部７０はサンプリングホールド回路やゲイン調整回路を含み、ＣＣＤ６６から出力された画像信号はアナログ処理部７０において相関二重サンプリング（ＣＤＳ）処理並びにＲ，Ｇ，Ｂの各色信号に色分離処理され、各色信号の信号レベルの調整（プリホワイトバランス処理）が行われる。
【００３６】
アナログ処理部７０から出力された信号は、Ａ／Ｄコンバータ７２においてＲ，Ｇ，Ｂのデジタル信号に変換された後、信号処理ＩＣ７４内の内蔵バッファ７６、Ｉ／Ｏバスインターフェース７８、チップバスインターフェース８０を経由してＳＤＲＡＭ８２に格納される。内蔵バッファ７６は、表示系の画面サイズに合わせて画素数の間引き処理を行うために利用される。ＳＤＲＡＭ８２は画像メモリとして用いられる。
【００３７】
ＣＣＤ駆動回路６８、アナログ処理部７０及びＡ／Ｄコンバータ７２には、タイミングジェネレータ８４からタイミング信号が与えられ、このタイミング信号によってこれら回路の同期がとられている。
【００３８】
ＳＤＲＡＭ８２に記憶されたデータはバス８６を介してオート演算部８８に送られるとともに、信号処理部９０へ送られる。オート演算部８８は、入力された画像信号に基づいて焦点評価演算やＡＥ演算などの各種演算を行い、その演算結果をシステムコントローラ９２に伝える。システムコントローラ９２は、オート演算部８８から受入する演算結果に基づいてＡＦモータを含むＡＦ駆動手段９４及びシャッター／アイリスモータを含むシャッター／アイリス駆動手段９６を制御してフォーカスレンズを合焦位置に移動させるとともに、絞りを適正絞り値に設定してメカシャッター並びにＣＣＤ６６の電子シャッターを制御する。
【００３９】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、シャッター／アイリス駆動手段９６を介して絞りを駆動するとともに、決定したシャッタースピードとなるように電子シャッターによってＣＣＤ６６の電荷の蓄積時間を制御する。したがって、カメラ１０の撮影レンズを被写体に向けるだけで、最適な露出調整が行われるとともに、ピント合わせが自動的に行われる。
【００４０】
撮影記録時においては、レリーズボタン３０の「半押し」時に上述した測光動作を複数回繰り返して正確な撮影ＥＶを求め、この撮影ＥＶに基づいて撮影時の絞り値とシャッタースピードを最終的に決定する。そして、レリーズボタン３０の「全押し」時に前記最終的に決定した絞り値になるように絞りを駆動し、また、決定したシャッタースピードとなるように電子シャッターによって電荷の蓄積時間を制御する。なお、ＡＥ、ＡＦはＣＣＤ６６から取得される画像信号に基づいて制御する方法の他、周知の測光センサやＡＦ投光／受光センサからなる測距センサ等を用いてもよい。
【００４１】
信号処理部９０は輝度・色差信号変換回路やガンマ補正回路等を含むデジタル信号処理ブロックである。信号処理部９０に入力されたＲＧＢデータは、輝度信号（Ｙ信号）及び色差信号（Ｃr,Ｃb 信号）に変換されるとともに、ガンマ補正等の所定の処理が施された後、再びＳＤＲＡＭ８２に書き戻される。
【００４２】
ＳＤＲＡＭ８２に格納された輝度・色差信号（ＹＣ信号と略記する）は、バス８６を介してＶＲＡＭ９４に供給される。ＶＲＡＭ９４に記憶されたデータはエンコーダ９６に送られ、ここでキャラクタジェネレータ９８から供給される文字や記号のデータとともに表示用の所定方式の信号（例えば、ＮＴＳＣ方式のカラー複合映像信号）に変換される。
【００４３】
エンコーダ９８の出力はＤ／Ａ変換器１００とＬＣＤコントローラ１０２に供給される。Ｄ／Ａ変換器１００でアナログ信号に変換された画像信号はＬＣＤ制御部１０４に供給され、液晶モニター３８に画像が出力される。液晶モニター３８にはバックライト１０６が設けられ、モニター表示のＯＮ／ＯＦＦに連動してバックライト１０６がＯＮ／ＯＦＦされる。なお、表示手段は液晶ディスプレイに限らず、カラー表示可能な他の表示装置を適用してもよい。
【００４４】
また、Ｄ／Ａ変換器１００の出力はローパスフィルター１０８と７５Ωドライバ１１０を経由して映像出力端子（VIDEO OUT ）１１２より外部出力可能である。
【００４５】
ＣＣＤ６６から出力される画像信号によって画像データが定期的に書き換えられ、その画像データから生成される映像信号が液晶モニター３８に供給されることにより、ＣＣＤ６６が捉える画像がリアルタイムに動画像（ライブ画像）として、又はリアルタイムではないが、ほぼ連続した画像として液晶モニター３８に表示される。
【００４６】
液晶モニター３８は電子ビューファインダーとして利用でき、撮影者は液晶モニター３８の表示画像又はファインダー３６によって撮影画角を確認することができる。レリーズボタン３０の押下操作など所定の記録指示（撮影開始指示）操作に呼応して、記録用の画像データの取り込みが開始される。
【００４７】
撮影者がレリーズボタン３０から撮影記録の指示を入力すると、システムコントローラ９２は、ＪＰＥＧ演算部（圧縮伸張回路に相当）１１４にコマンドを送り、これによりＪＰＥＧ演算部１１４はＳＤＲＡＭ８２上の画像データをＪＰＥＧその他の所定の形式に従って圧縮する。圧縮された画像データはメディアコントローラ１１６を経由してカードインターフェース１１８に供給され、該カードインターフェース１１８に装着されているメモリカード１２０に記録される。
【００４８】
なお、非圧縮の画像データを記録するモード（非圧縮モード）が選択されている場合には、ＪＰＥＧ演算部１１４による圧縮処理を実施せずに、非圧縮のまま画像データがメモリカード１２０に記録される。
【００４９】
ＪＰＥＧ演算部１１４は静止画圧縮処理と動画圧縮処理の両処理機能を有し、動画はモーションＪＰＥＧ方式により記録される。もちろん、ＭＰＥＧ、ＭＰＥＧ２その他の記録方式を採用してもよい。
【００５０】
本例のデジタルカメラ１０は、画像データを保存する記録手段としてメモリカード１２０が用いられている。具体的には、例えばスマートメディア（Solid-State Floppy Disk Card）が適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００５１】
再生モード時にはメモリカード１２０から読み出された画像データがＪＰＥＧ演算部１１４によって伸張処理され、ＶＲＡＭ９４、エンコーダ９６及びＤ／Ａ変換器１００を介して液晶モニター３８に出力される。
【００５２】
バス８６にはシリアル入／出力部１２２が接続されており、シリアル通信インターフェース１２４を介して、図示せぬ外部機器とのデータの送受信が可能となっている。また、前記シリアル入／出力部１２２にはドットマトリックス液晶４６を制御するＬＣＤコントローラ１２６、電子ボリューム付きのＤ／Ａ変換器１２８及びＥＥＰＲＯＭ１３０が接続されている。
【００５３】
システムコントローラ９２やＣＰＵブロック１３２から出力される指令信号のうちＣＣＤ駆動回路６８に与える電子シャッター制御指令、ストロボ発光装置３４のガイドナンバー選択指令、及びＬＣＤ制御部１０４への指令などは前記電子ボリューム付きのＤ／Ａ変換器１２８を経由してアナログ信号に変換された指令信号が与えられる。
【００５４】
バス８６には上述した回路ブロックの他に、クロックコントローラ１３４、プログラマブル入出力ポート１３６、Ａ／Ｄコンバータ１３８、キーオンコントローラ１４０、マルチファンクションタイマ１４２、ウォッチドックタイマ１４４、割り込みコントローラ１４６、ＤＭＡコントローラ１４８が接続されており、各回路ブロックはＩ／Ｏバスインターフェース７８を介してＣＰＵブロック１３２と接続されている。
【００５５】
ＣＰＵブロック１３２は、カメラ１０の各回路を統括制御する制御部（制御手段）であり、ＣＰＵコア１５０、キャッシュメモリ１５１、内蔵ＤＲＡＭ１５２から構成される。ＣＰＵブロック１３２はＩ／Ｏコントローラ１５４及びＳＤＲＡＭコントローラ１５５と接続されるとともに、チップバスインターフェース８０を介して、前記ＳＤＲＡＭ８２、フラッシュＲＯＭ１５６、ＵＳＢドライバ１５８と接続されている。ＵＳＢ端子１６０にケーブルを接続することにより、カメラ１０はパソコンその他の図示せぬ外部機器との間でデータの送受信が可能である。
【００５６】
ＣＰＵコア１５０は、操作部１６２、１６４や各種検出手段から受入する入力信号に基づき対応する回路の動作を制御する。すなわち、ＣＰＵコア１５０は、撮影光学系６２のズーミング動作の制御、焦点調節（ＡＦ）動作の制御、自動露出調節（ＡＥ）の制御等を行うとともに、タイミングジェネレータ８４を制御してＣＣＤ９０の電荷の蓄積時間を制御する。また、ＣＰＵコア１５０はドットマトリックス液晶４６の表示制御部としても機能する。
【００５７】
操作部１６２は、十字キー４４、シフトキー４８、表示キー５０、メニュー／実行キー５２、キャンセルキー５４を含むブロックであり、操作部１６４は、レリーズボタン３０、モードダイヤル３２、電源スイッチ４０、モード選択レバー４２に対応するスイッチを含むブロックである。電源スイッチ４０を押すと、その信号がゲットアップ信号生成回路１６５に加えられ、該ゲットアップ信号生成回路１６５から信号処理ＩＣ７４にゲットアップ信号が与えられてＩＣが起動する。本例のカメラ１０では操作部１６２、１６４がカメラ本体に配設されているが、操作部１６２、１６４に相当する部分をリモコン送信機としてカメラ本体と分離した構成にすることも可能である。
【００５８】
カメラ１０に設けられている検出手段としては、レンズバリヤ１２の開閉状態を検知するためのバリアオープンスイッチ、ズームポジションを検出するセンサ（例えば、ポテンショメータやエンコーダで構成される。）、フォーカスレンズのホームポジションを検出するセンサ、メモリカード１２０の装着の有無を検出するカード検出スイッチ１６６、映像出力端子１１２にビデオケーブルが接続されたか否かの検出を行うケーブル接続検出手段などがある。
【００５９】
ストロボ発光装置３４は、発光部１６８、ストロボ調光センサ１６、コンデンサ１７０、及びストロボ制御ユニット１７２から構成される。操作部１６２、１６４からの所定の操作に応じて低輝度時にストロボを自動的に発光させる「低輝度自動発光モード」、「赤目軽減モード」、被写体輝度にかかわらずストロボ発光させる「強制発光モード」、又はストロボ発光を禁止させる「発光禁止モード」に設定可能である。
【００６０】
ＣＰＵブロック１３２はユーザーが選択したストロボモードに応じて、ストロボ制御ユニット１７２にコマンドを与える。ストロボ制御ユニット１７２は、ＣＰＵブロック１３２から加えられる指令に基づいてコンデンサ１７０の充電制御や発光部１６８（例えば、キセノン管）への放電（発光）タイミングを制御するとともに、ストロボ調光センサ１６の検出結果に基づいて発光停止の制御を行う。ストロボ調光センサ１６は、ストロボの発光によって照らされる被写体からの反射光を受光し、受光量に応じた電気信号に変換する受光素子が用いられている。ストロボ調光センサ１６の検出信号は図示せぬ積分回路により積算され、積算受光量が所定の適正受光量に達した時にストロボの発光が停止される。
【００６１】
カメラ１０の電源は、電池１７４又は外部電源入力端子１７６に接続される外部電源を用いることができる。電池１７４には例えば単三乾電池２本が用いられる。もちろん、専用の二次電池を使用するように設計することも可能である。
【００６２】
使用される電源の種類は電池検知部１７８で検出され、その検出情報はＣＰＵコア１５０に入力される。電池１７４又は外部電源入力端子１７６に接続される外部電源から提供される電力はＤＣ／ＤＣコンバータ１８０によって所要の電圧に変換され、所定の回路ブロックに電源供給される。
【００６３】
また、カメラ１０は、マイクロフォン１８２及びスピーカー１８４を備え、マイクロフォン１８２を介して入力された音声はＡ／Ｄコンバータ１３８を介してＣＰＵコア１５０に入力される。また、ＣＰＵコア１５０が出力する音声データは電子ボリューム付きＤ／Ａコンバータ１２８を介してスピーカー１８４に供給され、スピーカー１８４より音声として出力される。
【００６４】
マイクロフォン１８２から入力した音声データもメモリカード１２０に記録することが可能であり、メモリカード１２０に記録されている音声をスピーカー１８４で再生することもできる。
【００６５】
次に、上記の如く構成されたカメラ１０の動作について説明する。
【００６６】
図６乃至図９はムービー撮影時のカメラ動作を示す説明図である。モード選択レバー４２を「撮影系モード」に設定し、モードダイヤル３２を「ムービー撮影モード」に設定した状態で電源スイッチ４０をＯＮ操作すると、カメラ１０はムービー撮影モードで立ち上がる。
【００６７】
オープニング画面の設定で「ＯＮ設定」が選択されている場合には、図６（ａ）に示すように、カメラ立ち上げ時にドットマトリックス液晶４６に「Ｈｅｌｌｏ！」の文字が表示される。その後、図６（ｂ）に示すように液晶モニター３８に所定のオープニング画面が表示されると同時にドットマトリックス液晶４６においてもムービー撮影モードであることを示すマーク（ムービーモードマーク）の表示に切り換わる。ムービーモードマークは、動画記録であることを象徴するように映画用カメラを図案化したマークと記録可能時間を秒単位で示した文字の組み合わせによって構成されている。
【００６８】
なお、オープニング画面の設定がＯＮの場合、電源スイッチ４０をＯＦＦ操作すると、ドットマトリックス液晶４６に「Ｂｙｅ！」の文字が表示されてから電源がＯＦＦとなる。
【００６９】
その一方、オープニング画面の設定で「ＯＦＦ設定」が選択されている場合には、図６（ｃ）に示すように、カメラ立ち上げ時にドットマトリックス液晶４６にムービーモードマークが表示されるのみで、液晶モニター３８はＯＦＦのままとなる。
【００７０】
図６（ｂ）又は図６（ｃ）の状態から所定時間経過後（例えば、１秒後）に図７（ａ）で示すように、ムービー撮影画面に切り換わる。この１秒の間にカメラ内部において所定の初期処理が行われ撮影可能状態にまで準備される。
【００７１】
カメラ１０がムービー撮影による記録可能な状態（スタンバイ中）に至ると、ドットマトリックス液晶４６の中央表示部４６Ｃにはムービーモードであることを示すマークが表示される。このとき、十字キー４４の上キー４４Ｕは光学ズームの望遠（テレ）操作機能、下キー４４Ｄは光学ズームの広角（ワイド）操作機能、左キー４４Ｌはマクロモードの設定と解除を行うマクロモード設定／解除機能が割り当てられている。
【００７２】
これら各キー４４Ｕ、４４Ｄ、４４Ｌ、４４Ｒが担う機能をユーザーに提示すべく、ドットマトリックス液晶４６の上表示部４６Ｕにはズームアップマーク、下表示部４６Ｄにはズームダウンマーク、左表示部４６Ｌにはマクロモードマークが表示される。マクロモードマークについては、電源ＯＮ時にマクロモードはＯＦＦの状態で立ち上がるため、現在のマクロモードの設定状態を示すようにマクロモードがＯＦＦであることを象徴するマークが表示される。この状態で左キー４４Ｌを押すとマクロモードがＯＮとなり、左表示部４６Ｌのマーク表示もマクロモードＯＮであることを表すマークに切り換わる（図２９（ｃ）参照）。
【００７３】
また、図７（ａ）に示すムービースタンバイ中、十字キー４４の右キー４４Ｒには機能が割り当てられていないので、ドットマトリックス液晶４６の右表示部４６Ｒは無表示（ブリンク）となる。これにより、ユーザーは右キー４４Ｒが無効な操作キーであることを容易に認識できる。
【００７４】
マクロモードの設定／解除機能を右キー４４Ｒに割り当てることも可能ではあるが、カメラボディの端面から遠い、本体中心部寄りに位置する左キー４４Ｌに割り当てる方が、意図しないキータッチ（誤操作）によるマクロモードのＯＮ／ＯＦＦを防止できる。このような操作性に配慮して、本例のカメラ１０では左キー４４Ｒがマクロモード設定／解除スイッチとなっている。
【００７５】
スタンバイ中、液晶モニター３８にはＣＣＤ６６が捉えるスルー画が表示され、画面左上にムービー撮影モードであることを示すモード情報２０２、画面中央やや上に「スタンバイ」という文字情報２０４、画面左下に年月日の情報２０６が表示される。この日付表示（２０６）は所定時間後（例えば３秒後）に消えて、図７（ｂ）のような表示となる。セットアップにおいて日付設定がＯＦＦとなっているときは、年月日の表示に代えて、「----,--,--」なる表示が点滅し、３秒後に消えるようになっている。
【００７６】
図７（ｂ）の状態で上キー４４Ｕ又は下キー４４Ｄを押すと、液晶モニター３８の左脇にズーム位置を示すズームバー２０８が表示される。ズームバー２０８は垂直バーで表示され、上が望遠（テレ）側、下が広角（ワイド）側を示し、上キー４４Ｕ、下キー４４Ｄの配置関係に対応付けられている。ズームバー２０８の上端にはテレ側であることを示す「Ｔ」の文字が表示され、ズームバーの下端にはワイド側であることを示す「Ｗ」の文字が表示される。このズームバー２０８表示は、上キー４４Ｕ又は下キー４４Ｄを押下後、所定時間経過後（例えば３秒後）に自動的に消えるようになっている。
【００７７】
また、図７（ａ）乃至（ｃ）の何れかの状態にあるときシフトキー４８を押すと、図８（ａ）に示すようなシフトガイダンス画面に移行する。このとき、液晶モニター３８の画面左上には「シフトガイダンス」という文字情報２１０が表示されるとともに、画面中央部分に「モニター明るさ設定→〔シフト〕＋〔表示〕」と表示される。この文字表示は、シフトキー４８と表示キー５０を連続押し（又は同時押し）することにより液晶モニター３８の明るさを調整する画面に移行できることを案内する操作支援表示である。
【００７８】
このシフトガイダンス画面の表示中、十字キー４４には何も機能が割り当てられていないので、ドットマトリックス液晶４６においては中央表示部４６Ｃに主モードマークのみを表示し、上／下／左／右の各表示部４６Ｕ、４６Ｄ、４６Ｌ、４６Ｒは無表示となる。
【００７９】
シフトガイダンス画面の案内に従って、シフトキー４８と表示キー５０を押すと、図８（ｂ）のように液晶モニター３８の画面に明るさ調整ブロック２１２が表示される。
【００８０】
この明るさ調整ブロック２１２は、小さいブロック２１３が左から右に向かって一列に並ぶインジケータ形式で表示され、表示されるブロックの数で明るさの程度を表すようになっている。十字キー４４の左キー４４Ｌが明るさダウン（−）、右キー４４Ｒが明るさアップ（＋）の機能を有し、これに対応してドットマトリックス液晶４６の左表示部４４Ｌには左矢印三角マーク、右表示部４４Ｒには右矢印三角マークがそれぞれ表示される。
【００８１】
左キー４６Ｌを押せばブロック２１３が増えて明るさがアップし、右キー４６Ｒを押すとブロック２１３の数が減ってモニター画面が暗くなる。上キー４４Ｕ及び下キー４４Ｄには機能が割り当てられていないので、ドットマトリックス液晶４６の上表示部４６Ｕ、下表示部４６Ｄは無表示となる。また、中央表示部４６Ｃには現在の撮影モードであるムービーモードマークが表示され、記録可能時間を示す文字は消される。なお、明るさ調整中であることを示す特別なマークを中央表示部４６Ｃに表示させてもよい。
【００８２】
左キー４４Ｌ又は右キーＲを操作して、画面が適当な明るさになったところで、メニュー／実行キー５２を押すと、その明るさ設定が確定する。また、キャンセルキー５４を押すと明るさ調整の変更がキャンセルされ、元の設定に戻る。明るさ調整ブロック２１２の下には、「設定→〔実行〕」及び「取消→〔キャンセル〕」という操作ガイダンスが表示される。
【００８３】
メニュー／実行キー５２の押下又はキャンセルキー５４の押下によって明るさの設定が終了すると図７（ｂ）のスタンバイ状態に戻る。
【００８４】
図７（ｂ）で示したスタンバイ状態でレリーズボタン３０が「全押し」され「Ｓ2 がＯＮ」すると、図９（ａ）で示すように、ムービー記録がスタートする。このとき液晶モニター３８の画面右上には録画時間の情報２１４が秒単位で表示される。
【００８５】
レリーズボタン３０は録画停止キーを兼ねており、レリーズボタン３０を２回目に押したとき（Ｓ1 オン時）に撮影終了となり、取り込み画像がメモリカード１２０に記録される。カード記録中は図９（ｂ）に示すように液晶モニター３８画面中に「カードに保存中」という文字が表示される。
【００８６】
このとき、ドットマトリックス液晶４６には中央表示部４６Ｃにムービーモードマークが表示され、上下左右の表示部４６Ｕ、４６Ｄ、４６Ｌ、４６Ｒは無表示となる。メモリカード１２０への書き込み（画像の保存）処理が終了したら、図７（ｂ）で説明したスタンバイ状態に戻る。
【００８７】
もし、Ｓ２オン（撮影開始）後、すぐにレリーズボタン３０が再押し操作され、Ｓ１がＯＮした時（撮影終了時）には、所定の最低記録時間の記録を実行する。例えば、本例のカメラ１０では１秒間に１０フレームを記録するようになっており、後述する動画インデックス（２５画面マルチ表示）との関係で最低３秒間の記録を行う仕様になっている。また、撮影中にメモリカード１２０が記録限界に達した時には、記録を停止して、そのまま自動記録処理を行う。
【００８８】
次に、マニュアル撮影モードによる動作を説明する。
【００８９】
モード選択レバー４２を「撮影系モード」に設定し、モードダイヤル３２で「マニュアル撮影モード」を選択すると、図６（ａ）で説明したドットマトリックス液晶４６の表示内容に代えて、図１０に示すような表示によってカメラ１０が起動する。すなわち、ドットマトリックス液晶４６において、マニュアル撮影モードであることを象徴する「Ｍ」という文字とカメラのマークの組み合わせからなるモードマークが表示される。
【００９０】
かかるモードマークの下には標準撮影可能枚数、クオリティー表示（Ｎはノーマルであることを表す。）、更に画素数情報（２４００は、２４００×１８００であることを表す）が表示される。このように、カメラ１０の起動時にドットマトリックス液晶４６において立ち上げ時のカメラ状態を示す表示が行われる。
【００９１】
マニュアル撮影モードで撮影可能な状態となると、ドットマトリックス液晶４６及び液晶モニター３８の画面は図１１（ａ）に示すような表示となる。
【００９２】
ドットマトリックス液晶４６の中央表示部４６Ｃには、マニュアル撮影モードであることを示すモードマークと標準撮影可能枚数の数字が表示され、上表示部４６Ｕにはズームアップマーク、下表示部４６Ｄにはズームダウンマーク、左表示部４６Ｌにはマクロモードマーク、右表示部にはストロボマークが表示される。
【００９３】
つまり、十字キー４４の上キー４４Ｕは光学ズームの望遠（テレ）操作機能、下キー４４Ｄは光学ズームの広角（ワイド）操作機能、左キー４４Ｌはマクロモードの設定と解除を行うマクロモード設定／解除機能、右キー４４Ｒはストロボモード設定機能が割り当てられている。
【００９４】
図１１（ａ）では、マクロＯＦＦ、ストロボモードは自動発光モードに設定されている様子を示している。この状態で左キー４４Ｌを押すとマクロモードＯＮの状態となり、左表示部４６Ｌにマクロ設定がＯＮ状態であることを示すマーク（図２９（ｃ）参照）が表示される。また、右キー４４Ｒを押す毎にストロボモードが「オート」→「赤目軽減」→「強制発光」→「発光禁止」→「オート」…とサイクリックに循環し、右表示部４６Ｒにおいて各ストロボモードを表すシンボルマークの表示が変更される（図３１参照）。
【００９５】
液晶モニター３８の画面左上には「マニュアル撮影」というモード情報２１６が表示され、その下に必要に応じて、マクロモードマーク、セルフタイマーマーク、マニュアルフォーカスマークが表示される。画面中央にはＡＦターゲットマーク２１８が表示され、画面左脇にはズームバー２０８が表示され、現在のズーム位置を視覚的に把握できる。
【００９６】
画面下には左から順に液晶画面の明るさの設定状況、ストロボ光量の設定状況、ホワイトバランスの設定状況、ＩＳＯ感度設定状況など各種設定状況が表示される。画面右上にはコマ番号が表示される。
【００９７】
図１１（ａ）の画面で画角を決めてレリーズボタン３０を「半押し」（Ｓ1 オン）すると、画像の取り込みが行われ、図１１（ｂ）の画面に変わる。この時、液晶モニター３８の画面はフリーズ表示となり、カメラ内部でＡＦ処理及びＡＥ処理が実行される。かかるＡＦ処理、ＡＥ処理中、液晶モニター３８の画面右上にカメラの内部処理状況のインフォメーションとして「！ＡＦ」と表示され、その後「！ＡＥ」という表示に入れ替わる。
【００９８】
次いで、レリーズボタン３０を「全押し」（Ｓ2 オン）すると、記録用の撮影（画像記録）が実行される。プレビューＯＦＦに設定されている時は、メモリカード１２０に画像を保存後、図１１（ａ）の撮影待機状態に戻る。
【００９９】
その一方、プレビューＯＮに設定されている時は、図１１（ｂ）の状態でレリーズボタン３０を「全押し」（Ｓ2 オン）すると、記録用の撮影（画像記録）が実行され、図１１（ｃ）に示すプレビュー表示画面となる。液晶モニター３８の画面左上には「プレビュー」という動作状態を示す情報２２０が表示され、画面下には、「記録→〔実行〕」及び「取消→〔キャンセル〕」という操作案内が表示される。
【０１００】
また、プレビュー表示中は、十字キー４４の上キー４４Ｕが電子ズームの拡大キー、下キー４４Ｄが電子ズームの縮小キーに割り当てられている。これに対応して、ドットマトリックス液晶４６の上表示部４６Ｕに拡大ズーム機能を意味するマーク（拡大鏡の中に＋の記号）、下表示部４６Ｄに縮小ズーム機能を意味するマーク（拡大鏡の中に−の記号）が表示される。
【０１０１】
十字キー４４のうち、機能割り当ての無い左キー４４Ｌ、右キー４４Ｒについてはドットマトリックス液晶の左表示部４６Ｌ、４６Ｒは無表示となる。
【０１０２】
図１１（ｃ）の状態の時に上キー４４Ｕ（又は下キー４４Ｄ）を押すと、図１１（ｄ）に示すように、画面中の表示画像が拡大（下キー４４Ｄを押下した場合には縮小）表示される。また、図には示さないが、ここでシフトキー４８と十字キー４４の何れかのキー（４４Ｕ、４４Ｄ、４４Ｌ、又は４４Ｒ）を同時押しすることにより、ズーム画面のまま表示範囲を移動（パンニング又はチルティング）させることができる。所望の画角でメニュー／実行キー５２を押すと、現在表示されている画角の画像がメモリカード１２０に保存される。本例では４：３の画面比の画像を記録しているが、画面の縦横比を任意に、又は選択的に変更できるようにしてもよい。
【０１０３】
図１１（ｃ）又は（ｄ）の画面の時にキャンセルキー５４を押すと、画像の記録処理を実行せずに（ａ）のマニュアル撮影画面に戻る。なお、設定によっては、元の画像のみを記録したり、現在表示中の画角と元の画像を両方記録することも可能である。
【０１０４】
このようにプレビュー中にズーム拡大／縮小及び表示範囲の移動を可能にしたので、マニュアルフォーカス時のピント合わせの確認に役立ち、撮影した画像をその場でトリミングして記録することができる。
【０１０５】
画素数１２８０×９６０の設定で撮像した場合、取り込み画像は１２８０のサイズでＳＤＲＡＭ８２上にＹＣデータとして展開して保有されている。これを液晶モニター３８に表示する場合には、内蔵バッファ７６によって間引き処理し、６４０のサイズに変換したデータをＶＲＡＭ９４に供給している。したがって、プレビュー表示において拡大ズーム処理を行っても解像度を落とさずに表示できる。
【０１０６】
図１１（ａ）に示したマニュアル撮影画面でメニュー／実行キー５２を押すと、図１２及び図１３に示す撮影設定メニューの画面に移行する。撮影設定メニューは、明るさ、ストロボ、ホワイトバランス、ＩＳＯ感度、マニュアルフォーカス、測光パターン、シャープネス、プレビュー表示の８項目を有し、４項目ずつ２ページに分けて表示される。左キー４４Ｌ又は右キー４４Ｒの操作によって「プレビュー表示」←→「シャープネス」←→「測光」←→「マニュアルフォーカス」←→「明るさ」←→「ストロボ」←→「ホワイトバランス」←→「ＩＳＯ感度」の８項目が順に切り換わる。
【０１０７】
図１２に示すように、第１ページ目は、「明るさ」、「ストロボ」、「ホワイトバランス」、「ＩＳＯ感度」の４項目からなり、液晶モニター３８の画面下にこれら４項目のメニューバー２２２が表示され、各項目毎に複数の選択内容が用意されている。
【０１０８】
「明るさ」の項目では−０．６〜＋０．６の範囲で０．３刻みに明るさを設定できる。「ストロボ」の項目では、−０．６〜＋０．６の範囲で０．３刻みにストロボの明るさを設定できる。「ホワイトバランス」の項目では、ストロボ、曇り屋外、晴天屋外、室内のうちから一つを選択できる。「ＩＳＯ感度」の項目では、２００、４００、８００のうちから一つを選択できる。  
【０１０９】
設定項目を左キー４４Ｌ又は右キー４４Ｒで選択し、設定内容を上キー４４Ｕ又は下キー４４Ｄで選択する。上キー４４Ｕ又は下キー４４Ｄにより設定内容を選択したらメニュー／実行キー５２の押下によりその設定内容を確定する。
【０１１０】
メニュー項目を選択した時にポップアップ表示されるメニューバルーン（サブメニュー枠）２２３も、画面下のメニュー項目表示の配列順に合わせて左から順次シフトしていくようになっている。「ＩＳＯ感度」の項目はメニュー移動の突き当たりとなっており、メニューは循環しない。したがって、図１２（ｄ）に示すように、「ＩＳＯ感度」の項目を設定した時には、十字キー４４の右キー４４Ｒは無効となり、ドットマトリックス液晶４６の右表示部４６Ｒは無表示となる。メニューを循環させず、よく使う項目を移動の突き当たり（移動端）に設定しておくことで、その項目の位置で容易に停止させることができる。
【０１１１】
図１２（ａ）の「明るさ」の設定画面で左キー４４Ｌを押すと、図１３（ａ）に示すように第２ページに移行する。図１３に示すように、第２ページは「マニュアルフォーカス」、「測光」、「シャープネス」、「プレビュー表示」の４項目からなり、液晶モニター３８の画面下にこれら４項目のメニューバー２２２が表示され、各項目毎に複数の選択内容が用意されている。
【０１１２】
「マニュアルフォーカス」の項目では、マニュアルフォーカスＯＮ又はＯＦＦの何れかを選択できる。「測光」の項目では、画面全体を測光対象としてその全画面平均をとるアベレージ測光、画面の中央部分のみを測光対象とするスポット測光、又は画面を複数のエリアに分割して測光するマルチ測光のうち何れかの測光パターンを選択できる。「シャープネス」では「０」を基準として輪郭強調の度合いを−方向及び＋方向に適当な範囲で設定することができる。「プレビュー表示」の項目では、プレビューを表示させるか否かのプレビューＯＮ又はＯＦＦの何れかを選択できる。
【０１１３】
メニュー項目を左キー４４Ｌ又は右キー４４Ｒで選択し、設定内容を上キー４４Ｕ又は下キー４４Ｄで選択する。上キー４４Ｕ又は下キー４４Ｄにより設定内容を選択したらメニュー／実行キー５２の押下によりその設定内容を確定する。
【０１１４】
メニュー項目を選択した時にポップアップ表示される各項目のメニューバルーン２３３も、画面下のメニュー項目表示の配列順に合わせて右から順次シフトしていくようになっている。「プレビュー表示」の項目は２ページ目のメニュー移動の突き当たりとなっており、メニューは循環しない。したがって、図１３（ｄ）に示すように、「プレビュー表示」の項目を設定した時には、十字キー４４の左キー４４Ｌは無効となり、ドットマトリックス液晶４６の左表示部４６Ｌは無表示となる。
【０１１５】
図１１（ａ）で説明した撮影待機画面でメニュー／実行キー５２を押した場合、デフォルトとして「明るさ」の設定メニューの表示画面（図１２（ａ））となるが、以後、モードダイヤル３２やモード選択レバー４２によるモード切り換えを行っていない場合には、前回抜けたメニューから入ることになる。
【０１１６】
また、図１１（ａ）、（ｃ）又は図１２及び図１３に示したいずれかの画面の時にシフトキー４８を押すと、図８で説明したシフトガイダンス画面となる。
【０１１７】
次に、オート撮影モードによる動作を説明する。
【０１１８】
モード選択レバー４２を「撮影系モード」に設定し、モードダイヤル３２を「オート撮影」に選択すると、図６（ｂ），（ｃ）で示したドットマトリックス液晶４６の表示内容に代えて、図１４に示すような表示によってカメラ１０が立ち上がる。すなわち、ドットマトリックス液晶４６においてオート撮影モードであることを象徴する「Ａ」という文字とカメラを図案化したマークの組み合わせから成るマークが表示される。このモードマークとともに標準撮影可能枚数、クオリティー表示、画素数表示がなされる点は図１０で説明したとおりである。
【０１１９】
オート撮影モードで撮影可能な状態となると、ドットマトリックス液晶４６及び液晶モニター３８において図１５（ａ）に示すような表示となる。オート撮影モードの撮影待機状態では、十字キー４４の上キー４４Ｕは光学ズームの望遠（テレ）操作機能、下キー４４Ｄは光学ズームの広角（ワイド）操作機能、左キー４４Ｌはマクロモードの設定と解除を行うマクロモード設定／解除機能、右キー４４Ｒはストロボモード設定機能が割り当てられており、ドットマトリックス液晶４６の上／下／左／右の各表示部４４Ｕ、４４Ｄ、４４Ｌ、４４Ｒにそれぞれ対応する機能を示すマークが表示される。また、ドットマトリックス液晶４６の中央表示部４６Ｃには、オート撮影モードであることを示すモードマークと標準撮影可能枚数が表示される。
【０１２０】
液晶モニター３８の画面左上には、「オート撮影」というモード情報２３０が表示され、その下に必要に応じてマクロモードマーク、セルフタイマーマークが表示されることになる。画面中央にＡＦターゲットマーク２１８が表示され、ズームキー（この場合、上キー４４Ｕ又は下キー４４Ｄ）を押すと、画面左脇にズームバー２０８が表示される。ズームバー２０８の表示はズームキーの押下後所定時間（例えば３秒間）表示されると自動的に消える。また、日付表示２０６は立ち上がり後所定時間経過したら（例えば、３秒後）自動的に消える。
【０１２１】
図１５（ａ）のオート撮影画面でレリーズボタン３０を押下（Ｓ１オン）すると、図１５（ｂ）に示すようにスタンバイ画面となる。ここで更にレリーズボタン３０を「全押し」（Ｓ2 オン）すると、画像記録動作を実行する。撮影画像がメモリカード１２０に保存されると、図１５（ａ）のオート撮影画面の状態に戻る。このオート撮影画面で表示キー５０を押すと同図（ｃ）乃至（ｅ）に示すように撮影支援画面に移行する。
【０１２２】
このカメラ１０にはベストフレーミング表示と呼ばれる撮影支援機能が設けられている。これは、撮影目的に合わせて液晶モニター３８の画面にフレーミングの目安となる指標線（ベストフレーミング枠２３２という。）が表示され、撮影者はこのベストフレーミング枠２３２を参考にしながら画角合わせを行うことにより、良好な構図の写真が得られるというものである。
【０１２３】
図１５（ｃ）では風景撮影に適したベストフレーミング枠２３２が表示された様子が示されている。この画面においてシフトキー４８を押すと十字キー４４の機能が変更され、上キー４４Ｕはベストフレーミング枠のパターンを選択する機能、下キー４４Ｄはセルフタイマー設定機能、左キー４４Ｌはリサイズ（画素数変更）機能、右キー４４Ｒはクオリティー設定機能がそれぞれ割り当てられる。かかる機能割り当てに対応してドットマトリックス液晶４６の上／下／左／右の各表示部４６Ｕ、４６Ｄ、４６Ｌ、４６Ｒも所定のマーク表示に切り換わる。
【０１２４】
図１５（ｃ）の状態からシフトキー４８と上キー４４Ｕを連続押しすると、図１５（ｄ）に示したように集合写真に適したベストフレーミング枠２３２の表示に切り換わり、十字キー４４の機能も図１５（ａ）で説明したのと同じ状態になる。図１５（ｄ）の画面でシフトキー４８を押すと図１５（ｃ）で説明したように十字キー４４機能が変更され、シフトキー４８＋上キー４４Ｕの操作によって図１５（ｅ）に示すような人物撮影に適したベストフレーミング枠２３２が表示される。
【０１２５】
図１５（ｃ）乃至（ｅ）の何れかの撮影支援画面を用いて構図を決めてから、レリーズボタン３０を押下（Ｓ１オン）すると、同図（ｂ）のスタンバイ画面となる。撮影支援画面からＳ１オンとなった時には、スタンバイ画面においてベストフレーミング枠２３２も表示される。スタンバイ画面（ｂ）でレリーズボタン３０を「全押し」（Ｓ２オン）すると記録動作が実行され、画像がメモリカード１２０に保存される。
【０１２６】
図１５（ｃ）乃至（ｅ）の何れかの撮影支援画面の時に表示キー５０を押すと、撮影支援機能から抜けて、図１５（ａ）のオート撮影画面に戻る。
【０１２７】
次に再生モードについて説明する。
【０１２８】
モード選択レバー４２を「再生系モード」に設定すると、図６（ｂ）又は（ｃ）で説明したドットマトリックス液晶４６の表示内容に代えて、図１６に示すような表示によってカメラ１０が立ちあがる。すなわち、ドットマトリックス液晶４６において再生モードであることを象徴する右向き三角マークのモードマークが表示される。なお、撮影系モードと再生系モードのモードに応じてドットマトリックス液晶４６のバックライト色を変更してもよい。
【０１２９】
再生モードでカメラ１０が立ち上がると、メモリカード１２０内の最後の画像ファイル（最後に撮影した画像）が一コマ再生表示される。図１７（ａ）には最後の画像ファイルが静止画ファイルである場合の再生表示例が示されている。液晶モニター３８の画面左上には、再生モードであることを示すモード情報２３６が表示されるとともに、画面右上にコマ番号及びファイル名の情報２３８が表示される。また画面下には撮影日時が表示される。また、画面右脇には画像ファイルの付加情報として、誤消去防止（画像プロテクト）設定の情報や、プリント情報の有無を示すマークが表示される場合もある。
【０１３０】
一コマ再生時、十字キー４４の上キー４４Ｕは拡大ズームの指令、下キー４４Ｄは縮小ズームの指令、左キー４４Ｌはコマ戻し、右キー４４Ｒはコマ送りの各機能が割り当てられる。これに応じてドットマトリックス液晶４６の上／下／左／右の各表示部４６Ｕ、４６Ｄ、４６Ｌ、４６Ｒにはそれぞれキー４４Ｕ、４４Ｄ、４４Ｌ、４４Ｒの機能を示すマークが表示される。また、中央表示部４６Ｃには再生モードであることを示すモードマークが表示される。
【０１３１】
図１７（ａ）の画面で上キー４４Ｕ又は下キー４４Ｄを押すと、再生画面が拡大表示又は縮小表示される。例えば、上キー４４Ｕを押すと図１７（ｂ）に示すように画像が拡大され、画面左脇にズームバー２０８が表示される。また、画面下には「ズーム移動→〔シフト〕＋〔↑↓←→〕」なる操作案内が表示される。
【０１３２】
図１７（ｂ）の画面でシフトキー４８を押すと同図（ｃ）に示すシフトガイダンス画面に移行し、図８で説明したとおり、ガイダンスに従って液晶モニター３８の明るさを調整できる。なお、シフトガイダンス中、十字キー４４は無効となるのでドットマトリックス液晶４６の上／下／左／右の各表示部４６Ｕ、４６Ｄ、４６Ｌ、４６Ｒは無表示となる。図１７（ｂ）及び（ｃ）何れの画面においても、キャンセルキー４８を押すことにより、図１７（ａ）の一コマ再生画面に戻る。
【０１３３】
図１７（ｂ）の画面に示された操作案内にしたがってシフトキー４８と上下左右の何れかのキー（４４Ｕ、４４Ｄ、４４Ｌ、又は４４Ｒ）を同時押しすることにより、図１８（ａ）に示すようにズーム画面のまま表示範囲を移動させることができる。この場合、上下左右キー４４Ｕ、４４Ｄ、４４Ｌ、又は４４Ｒは表示範囲を移動させる方向指示キーとして機能し、ドットマトリックス液晶４６の上下左右表示部４６Ｕ、４６Ｄ、４６Ｌ、４６Ｒには、それぞれ方向を示す三角マークが表示される。中央表示部４６Ｃには画面の平行移動が可能であることを象徴するマークが表示される。
【０１３４】
また、液晶モニター３８の画面においても上下左右の各移動可能方向を示す三角マーク２４０が表示され、画面左脇にズームバー２０８が表示される。ズーム移動の操作により、画面の端（例えば、画面の左端）に到達し、それ以上移動できない場合には、図１８（ｂ）に示すように、その方向を示す三角マークの表示が消えるとともに、ドットマトリックス液晶４６において、当該方向の指示キーの表示が消える。これにより、画面移動の限界を容易に認識できる。
【０１３５】
図１８（ａ）又は（ｂ）の画面でキャンセルキー５４を押すと、元のサイズに戻り、図１７（ａ）の一コマ再生表示に復帰する。なお、図１７（ａ）の一コマ再生表示中にシフトキー５４を押すと図８で説明したシフトガイダンス画面に移行し、モニターの明るさ調整が可能である。
【０１３６】
図１９は再生静止画メニューの画面例を示す図である。図１７（ａ）の静止画（一コマ）再生画面でメニュー／実行キー５２を押すと、図１９（ａ）の再生静止画メニューが表示される。メニューには「消去」、「オートプレイ」、「リサイズ」、「プロテクト」、「ＤＰＯＦ」、「地図再生」の６項目があり、各項目毎に複数の選択内容が用意されている。
【０１３７】
液晶モニター３８の画面下にこれら項目を示すアイコン２５０が一列に配列されたメニューバーが表示され、左キー４４Ｌ又は右キー４４Ｒで項目を選択するとサブメニューのメニューバルーン２５２が表示される。メニユーバルーン２５２の表示位置は、画面下のメニュー項目を示すアイコン２５０の配列順に合わせて移動するようになっている。「消去」と「地図再生」の項目がメニュー移動の突き当たりになっており、「消去」から「地図再生」、「地図再生」から「消去」へは循環しない。
【０１３８】
左キー４４Ｌ又は右キー４４Ｒによってメニュー項目を選択し、サブメニューの中から設定内容を上キー４４Ｕ又は下キー４４Ｄで選択する。上キー４４Ｕ又は下キー４４Ｄにより設定内容を選択したらメニュー／実行キー５２の押下によりその設定内容を確定する。
【０１３９】
図１９（ａ）に示すように「消去」メニューを選択した時には十字キー４４の左キー４４Ｌは無効となり、ドットマトリックス液晶４６の左表示部４６Ｌは無表示となる。同様に図１９（ｆ）に「地図表示」メニューを選択した時には右キー４４Ｒが無効となり、ドットマトリックス液晶４６の右表示部４６Ｒは無表示となる。なお、メニューの項目を循環させてもよく、この場合は、左／右キー４４Ｌ、４４Ｒは常に有効となり、ドットマトリックス液晶４６において機能を示す表示がなされる。
【０１４０】
「消去」のメニューバルーン２５２には、「フォーマット」、「全コマ消去」「一コマ消去」の３つのサブメニューが含まれる。上／下キー４４Ｕ、４４Ｄでサブメニュー項目を選択してメニュー／実行キー５２を押すと、それぞれの消去実行の確認画面となり、その確認画面で更にメニュー／実行キー５２を押すことで、処理が実行される。画像プロテクトがかかっている画像については、一コマ消去、全コマ消去処理を実行しても消去されない。この場合、画像プロテクトを解除してから、一コマ消去、全コマ消去処理を実行する。
【０１４１】
「オートプレイ」はメモリカード１２０内の画像ファイルを１つずつ順番に自動再生するモードである。ただし、動画ファイルの場合には先頭コマの画像が代表画像として再生される。「オートプレイ」の項目では画面切換時のワイプパターンを設定でき、「ワイプなし」、「ワイプ１」、「ワイプ２」、「ワイプ３」の何れかを選択することができる。ワイプ１〜３にはそれぞれ所定のワイプパターンが定義されている。「リサイズ」の項目では画素数の変更が可能であり、「２４００→１２８０」、「２４００→６４０」、「１２８０→６４０」の何れかを選択できる。
【０１４２】
「プロテクト」のサブメニューには、「全コマ解除」、「全コマプロテクト」、「一コマ設定」の３つの選択項目が含まれている。上／下キー４４Ｕ、４４Ｄで所望の項目を選択してメニュー／実行キー５２を押すと、それぞれのプロテクト処理実行の確認画面となり、その確認画面で更にメニュー／実行キー５２を押すことで、プロテクト処理が実行される。
【０１４３】
「ＤＰＯＦ」のサブメニューには、「全コマ指定／解除」、「確認／解除」、「一コマ指定」、「日付有り」の選択項目が含まれている。ＤＰＯＦ（Digital Print Order Format）の規格は、メモリカード１２０その他の記録媒体に記録した各画像について印画時のプリント枚数やトリミング等のプリント内容に関する指示（プリント情報）を決められたパラメータ、書式で記載した印画注文ファイルとしてその記録媒体に記録しておくものである。印画注文ファイルを予めデジタルカメラやパソコン等で作成し記録媒体に記録しておくことで、ラボ注文時やプリント装置での印画時においてプリント内容の指定を不要にすることができる。「地図再生」では、複数の地図データの中から所望の地図データを選択して、その選択に係る地図を液晶モニター３８に表示させることができる。
【０１４４】
次に、動画再生について説明する。カメラ１０を再生モードで立ち上げた時に、メモリカード１２０の最後の画像ファイルが動画ファイルである場合には、図２０（ａ）に示すようなムービー再生待機画面の表示となる。
【０１４５】
ムービー再生待機画面は、動画ファイルの先頭フレームの画像が表示されるとともに、画面左上にムービーモードマーク２６０が表示され、画面下に動作表示マーク２６２が表示される。動作表示マーク２６２は、左から、画コマ戻し、巻戻し、逆再生、停止、一時停止、再生、早送り、画コマ送りの順に配列されており、十字キー４４の操作に応じて動作状況を示すマークの色が変わって状態を表示するようになっている。
【０１４６】
十字キー４４は、上キー４４Ｕがストップ、下キー４４Ｄが再生／一時停止、左キー４４Ｌは画コマ戻し、右キー４４Ｒは画コマ送りの操作キーとして機能する。ドットマトリックス液晶４６の上／下／左／右表示部４６Ｕ、４６Ｄ、４６Ｌ、４６Ｒには各キーの機能を表すマークが表示され、中央表示部４６Ｃにはムービーモードマークが表示される。
【０１４７】
図２０（ａ）のムービー再生待機画面で下キー４４Ｄが押されると、再生処理がスタートする。図２０（ｂ）に示したように、メモリカード１２０から再生用データを読み込み中、液晶モニター３８は一時的に画面が暗くなり、中央に砂時計マーク２６４が表示される。
【０１４８】
読み込みが終了すると、図２０（ｃ）に示すように、動画ファイルが再生される。再生中、動作表示マーク２６２の再生マーク２６６の色が変わるとともに、画面下にファイルの再生経過を示すタイムバー２６８が表示される。また、動画ファイル再生中にはドットマトリックス液晶４６の中央表示部４６Ｃには、動画再生中であることを示す三角マークが表示される。動画再生中、上キー４４Ｕはストップ、下キー４４Ｄは再生／一時停止、左キー４４Ｌは巻戻し、右キー４４Ｒは早送りの機能が割り当てられ、ドットマトリックス液晶４６の上／下／左／右表示部４６Ｕ、４６Ｄ、４６Ｌ、４６Ｒには各キーの機能を表すマークが表示される。
【０１４９】
図２０（ｃ）に示す動画再生中に上キー４４Ｕ（ストップキー）を押すと再生処理を停止して、先頭フレームに戻る。動画再生途中で繰り返し先頭から再生することができる。
【０１５０】
図２０（ｃ）に示す動画再生中に下キー４４Ｄを押すと、図２１（ａ）に示すように、ムービー再生が一時停止状態となる。この時、液晶モニター３８画面下における動作表示マーク２６２の一時停止マーク２７０の色が変わり、ドットマトリックス液晶４６の中央表示部４６Ｃにも一時停止マークが表示される。一時停止中、十字キー４４の左キー４４Ｌはコマ戻し、右キー４４Ｒはコマ送りの操作キーとして機能するので、ドットマトリックス液晶４６の左／右表示部４６Ｌ、４６Ｒにおいてそれぞれ所定のマークが表示される。
【０１５１】
この一時停止画面でシフトキー４８を押すと、図２１（ｂ）に示すように、ドットマトリックス液晶４６の下表示部４６Ｄにおいて再生マークの三角アイコンの向きが反転し、下キー４４Ｄに逆再生キーとして機能が割り当てられる。左キー４４Ｌと右キー４４Ｒは無効なキーとなるため、ドットマトリックス液晶４６の左／右表示部４６Ｌ、４６Ｒは無表示となる。
【０１５２】
図２１（ｂ）で示した状態の時に下キー４４Ｄを押すと、一時停止の状態から逆再生がスタートする。図２１（ｃ）に示すように、逆再生中は動作表示マーク２６２の逆再生マーク２７２の色が変わり、ドットマトリックス液晶４６の中央表示部４６Ｃにも逆再生中であることを示す三角マーク（逆再生マーク）が表示される。また、逆再生中には、十字キー４４の左キー４４Ｌは巻戻し、右キー４４Ｒは早送りの操作キーとして機能するため、ドットマトリックス液晶４６の左／右表示部４６Ｌ、４６Ｒにおいて機能を表すマークが表示される。
【０１５３】
図２０（ｃ）の動画再生中にシフトキー４８を押してシフトガイダンスを呼び出すとムービー再生は一時停止となる。また、図２０（ａ）のムービー再生待機の画面でシフトキー４８を押した場合にもシフトガイダンス画面となり、図８で説明したとおり、モニターの明るさ調整が可能である。
【０１５４】
図２２は再生動画メニューの操作手順を示す図である。
【０１５５】
図２０（ａ）で説明したムービー再生待機中に、メニュー／実行キー５２を押すと、図２２（ａ）の再生動画メニュー画面となる。再生動画メニューは、「消去」、「インデックス」、「プロテクト」の３項目を含む。液晶モニター３８の画面下にこれら項目を示すアイコン２８０が一列に配列されたメニューバーが表示され、左キー４４Ｌ又は右キー４４Ｒで項目を選択するとサブメニューのメニューバルーン２８２が表示される。メニューバルーン２８２の表示位置はアイコン２８０の配列順に合わせて移動するようになっている。「消去」と「プロテクト」が移動の突き当たりになっており、「消去」から「プロテクト」、「プロテクト」から「消去」は循環しない。
【０１５６】
このため、「消去」時には左キー４４Ｌが無効となり、ドットマトリックス液晶４６の左表示部４６Ｌは無表示となる（図２２（ａ））。同様に「プロテクト」時には右キー４４Ｒが無効となり、右表示部４６Ｒは無表示となる（図２２（ｃ））。なお、メニュー項目を循環させてもよく、この場合、左／右キー４４Ｌ、４４Ｒは常に有効となり、ドットマトリックス液晶４６において機能表示が示される。
【０１５７】
「消去」及び「プロテクト」の選択操作については図１９で説明した通りである。図２２（ｂ）に示すように、「インデックス作成」メニューを選択するとインデックス作成の実行有無を問うサブメニューが表示される。
【０１５８】
十字キー４４の上キー４４Ｕ又は下キー４４Ｄによって「実行」を選択し、メニュー／実行キー５２を押すと、図２３（ａ）に示すようなインデックス画（動画インデックスという。）が表示される。インデックス画は、動画ファイル内のフレーム画像から適当な時間間隔で代表フレームが抽出され、液晶モニター３８上に５×５の２５フレームの縮小画像として配列表示されるものである。
【０１５９】
なお、動画インデックスの表示形態はこれに限らず、４×４の１６画面マルチ表示、３×３の９画面マルチ表示などの形式でもよい。
【０１６０】
インデックス画の作成時には、液晶モニター３８の画面左上に「インデックス作成」という文字情報２８６が表示され、画面の中央にインデックス保存の有無を問う「ＯＫ？」という文字が表示される。また、画面右上にはファイル番号２８８が表示され、画面下には「保存→〔実行〕」及び「戻る→〔キャンセル〕」という操作案内が表示される。図２３（ａ）に示すインデックス作成画面では、十字キー４４は無効になり、ドットマトリックス液晶４６において中央表示部４６Ｃにのみムービーモードマークが表示され、上／下／左／右の各表示部４６Ｕ、４６Ｄ、４６Ｌ、４６Ｒは全て無表示となる。
【０１６１】
インデックス作成画面（図２３（ａ））でメニュー／実行キー５２を押すと、インデックス画が静止画ファイルとしてメモリカード１２０に保存され、図２３（ｂ）に示す再生静止画メニュー画面に移行する。すなわち、液晶モニター３８の画面左上には「再生モード」であることを示すモード情報２９０が示され、画面下には「消去」、「オートプレイ」、「リサイズ」、「プロテクト」、「ＤＰＯＦ」、「地図再生」のメニュー項目を示すアイコン２５０が配列されたメニューバーが表示される。また、ドットマトリックス液晶４６の中央表示部４６Ｃにおいて再生静止画であることを示す三角マークが表示されるとともに、上／下／左／右の各表示部４６Ｕ、４６Ｄ、４６Ｌ、４６Ｒにおいて十字キー４４の各機能を示す方向マークが表示される。
【０１６２】
図２３（ｂ）の画面で上下左右の何れかのキー４４Ｕ、４４Ｄ、４４Ｌ、４４Ｒを押すと、図２３（ｃ）に示すように、メニューバルーン２９２が表示される。その後のメニューの操作は図１９で説明したとおりである。また、図２３（ｂ）のインデックス画面中から所望のフレームを選択してメニュー／実行キー５２を押すと、その選択されたフレームから動画再生をスタートさせることもできる。更に、図２３（ｂ）の画面において図１８で説明したのと同様の操作手順により、表示画面の拡大／縮小、及び表示範囲の移動が可能である。
【０１６３】
次に、再生モードにおける便利な機能を幾つか説明する。
【０１６４】
図２４には、静止画再生における早送り時の様子が示されている。図２４（ａ）に示す通常の一コマ再生の画面のとき、十字キー４４の左／右キー４４Ｌ、４４Ｒはそれぞれコマ送りキー、コマ戻しキーとして機能する。この一コマ再生画面において、左キー４４Ｌ又は右キー４４Ｒを所定時間以上長押し（例えば、０．７秒間の長押し）すると早送りモードに移行する。
【０１６５】
早送りモードになると、図２４（ｂ）に示すように、液晶モニター３８の画面下に３画像分の縮小画像（サムネイル）がピクチャー・イン・ピクチャーの方式で表示され、このサムネイル表示部２９４の上に再生状況を示す再生バー２９６が表示される。左キー４４Ｌ又は右キー４４Ｒを押し続けている間、ファイル番号順にサムネイルが自動表示され、一つのサムネイルはサムネイル表示部２９４の左から右へ移動しながら順次送り出されていく。なお、サムネイルは所定時間（例えば０．２秒）毎に一コマずつ移動する。
【０１６６】
画面の背景は早送りモードに移行した時の一コマ再生画像で停止し、サムネイル表示部２９４の表示によって早送りによる画像確認を行うことができる。動画ファイルの場合には、先頭フレームの縮小画像が代表画像として表示されることになる。なお、動画の画面サイズは６４０×４８０であり、通常の静止画ファイル（例えば、１２８０×９６０）に比べて画面サイズが小さいので、これを反映して縮小画像のサイズも小さいものとなっている。図２４（ｂ）中符号２９８で示す縮小画像は動画ファイルの代表画像である。
【０１６７】
所望の画像がサムネイル表示部２９４の中央の位置に来たところで、左キー４４Ｌ又は右キー４４Ｒから指を離し、所定時間（例えば、０．７秒）経過すると、当該中央の画像の再生モードに移行する。例えば、図２４（ｂ）の状態で左キー４４Ｌ又は右キー４４Ｒから指を離すと符号２９８で代表される動画ファイルが選択され、図２４（ｃ）に示すように、当該動画ファイルのフルサイズによる再生が可能となる。動画の再生手順は図２０乃至図２４で説明したとおりである。
【０１６８】
なお、左キー４４Ｌ又は右キー４４Ｒから指を離し、所定時間（例えば、０．７秒）経過する前であれば、左キー４４Ｌ又は右キー４４Ｒを再押しすることで、サムネイルのコマ送り若しくはコマ戻しが可能である。本例のように３つのサムネイルを表示して一つのサムネイルを左から右へ（戻しの場合は右から左へ）移動させるようにしたので、早送り中に所望の画像を見つけやすいという利点がある。
【０１６９】
サムネイル表示部２９４は、図２４（ｂ）のように液晶モニター３８の画面下部に形成する態様以外に、画面の左脇又は右脇に縦方向に形成して、サムネイルが上から下へ、又は下から上へ移動しながら早送りされるようにしてもよい。サムネイル表示部２９４に表示されるサムネイルの数は３つに限らず、２つ以上の妥当な数でいくつ表示させてもよい。
【０１７０】
図２５には、ムービー再生における早送り時の様子が示されている。
【０１７１】
図２５（ａ）に示すムービー再生待機中に、左キー４４Ｌ又は右キー４４Ｒの長押しで早送りモードに移行する。図２４で説明したとおり、早送りモードの場合、液晶モニター３８の画面下に３画像分のサムネイルが表示され（図２５（ｂ））、そのサムネイル表示部２９４の上に再生バー２９６が表示される。
【０１７２】
左キー４４Ｌ又は右キー４４Ｒを押し続けている間、ファイル番号順にサムネイル画面の左から右へ移動しながら順次自動表示される。所望の画像がサムネイル表示部２９４の中央の位置に来たところで、左キー４４Ｌ又は右キー４４Ｒから指を離し、所定時間（例えば、０．７秒）経過すると、当該中央の画像の再生モードに移行する。例えば、図２５（ｂ）の状態で左キー４４Ｌ又は右キー４４Ｒから指を離すと符号３０２のサムネイルに対応する静止画ファイルが選択され、図２５（ｃ）に示すように、当該静止画ファイルのフルサイズによる再生が行われる。
【０１７３】
図２６にはサムネイル表示時の操作手順が示されている。再生モードにおいて一コマ再生時又はムービー再生待機時に表示キー５０を２回連続押し（ダブルクリック）すると、図２６（ａ）に示すように、液晶モニター３８にサムネイルの一覧表示がなされる。これはメモリカード１２０内の画像ファイルをサムネイルにより一覧表示するものであり、モニター画面を３×３の９分割した９画面マルチ表示によって表示される。動画ファイルの場合は、先頭フレームの縮小画像が代表画像として表示される。
【０１７４】
画像ファイル数が多く一画面で全てのサムネイルを表示できないときは、複数のページに分けて表示される。ページを切り換える時は、シフトキー４８＋左／右キー４４Ｌ、４４Ｒによってページの送り又は戻しを指示する。
【０１７５】
図２６（ａ）のサムネイル一覧表示画面においてシフトキー４８を押すと、図２６（ｂ）に示すシフトガイダンス画面となる。このシフトガイダンス画面では、モニターの明るさ設定の操作案内と、ページ移動の操作案内が表示される。このとき、十字キー４４の左／右キー４４Ｌ、４４Ｒはページ移動指示の入力キーとして機能し、ドットマトリックス液晶４６の左／右表示部４６Ｌ、４６Ｒにはページ移動機能を示すマークが表示される。
【０１７６】
液晶モニター３８に表示されるガイダンスに従って、シフトキー４８＋表示キー５０を押すと、図２６（ｃ）に示すようにモニターの明るさ設定画面に移行し、図８で説明した手順に従って所定の操作を行うことでモニターの明るさを調整できる。
【０１７７】
図２６（ｂ）のシフトガイダンス画面から、シフトキー４８＋左／右キー４４Ｌ、４４Ｒによってページ移動を行うことができる。例えば、シフトキー４８＋右キー４４Ｒによって図２７（ａ）に示すようにページの送りを指定でき、シフトキー４８＋左キー４４Ｌによってページの戻し（同図（ｂ））を指定できる。サムネイル一覧表示のページ移動の時には、ドットマトリックス液晶４６の中央表示部４６Ｃを無表示としてもよいし、所定のマークを表示させてもよい。
【０１７８】
次に、ドットマトリックス液晶４６における表示のバリエーションを説明する。
【０１７９】
モードダイヤル３２でセットアップモードを選択すると、図２８（ａ）に示すように、ドットマトリックス液晶４０の中央表示部４６Ｃにセットアップモードであることを示すマーク（文字）が表示される。このとき、十字キー４４は、セットアップメニューの項目や設定内容を選択するための上／下／左／右カーソルキーとして機能するため、ドットマトリックス液晶４０の上下左右表示部４６Ｕ、４６Ｄ、４６Ｌ、４６Ｒにはそれぞれ上下左右方向の指示機能を示す三角マークが表示される。また、状況により十字キー４４のうち上／下キー４４Ｕ、４４Ｄが無効になる場合には、図２８（ｂ）に示すように上／下表示部４６Ｕ、４６Ｄがブリンクとなる。
【０１８０】
モードダイヤル３２で連写モードを選択すると、カメラ１０の立ち上がり時には、図２９（ａ）に示すように連写モードであることを示すモードマーク３０２を含む表示がなされる。やがて、連写モードによる撮影可能な状態になると、図２９（ｂ）に示すような表示に切り換わる。連写モードの場合、ストロボの発光は禁止されるため、十字キー４４の右キー４４Ｒは無効なキーとなり、ドットマトリックス液晶４６の右表示部４６は無表示となる。左キー４４Ｌはマクロ設定キーの機能が割り当てられており、左表示部４６Ｌにはマクロ機能とその設定状態を示すマークが表示される。また、上キー４４Ｕは光学ズームのテレ操作キー、下キー４４Ｄはワイド操作キーとして機能するため、ドットマトリックス液晶４６の上／下表示部４６Ｕ、４６Ｄに各機能を示すマークが表示される。
【０１８１】
図２９（ｂ）はマクロモードがＯＦＦに設定されている状態を示しており、この状態で左キー４４Ｌを押すとカメラ１０がマクロモードに設定され、図２９（ｃ）のような表示に切り換わる。マクロモードをＯＮ設定することによりＡＦのスキャン範囲が近距離側にシフトされ、近距離にある被写体への高精度のピント合わせが可能になる。
【０１８２】
モードダイヤル３２で人物撮影モードを選択すると、カメラ１０の立ち上がり時には、図３０（ａ）に示すように人物撮影モードであることを示すモードマーク３０４を含む表示が行われる。やがて、人物撮影モードによる撮影可能な状態になると、図３０（ｂ）に示すような表示に切り換わる。人物撮影モードの場合、マクロモードの設定は禁止されるため、十字キー４４の左キー４４Ｌは無効なキーとなり、ドットマトリックス液晶４６の左表示部４６は無表示となる。右キー４４Ｒはストロボ設定キーの機能が割り当てられており、右表示部４６Ｒにはストロボ設定機能とその設定状態を示すマークが表示される。
【０１８３】
図３０（ｂ）はストロボの設定が「オートモード」に設定されている状態を示している。この状態で右キー４４Ｒを押すとストロボモードを切り換えることができる。図３１に示すように、「オートモード」の状態（ａ）から右キー４４Ｒを押す毎に「オートモード」（ａ）→「赤目軽減モード」（ｂ）→「強制発光モード」（ｃ）→「発光禁止」（ｄ）→「オートモード」（ａ）…という具合に循環式に切り換わるようになっている。ストロボモードの切り換えに応じて、ドットマトリックス液晶４６の右表示部４６Ｒの表示内容が切り換わり、ストロボモードの設定状態を示すマークが表示される（図３１参照）。
【０１８４】
モードダイヤル３２で風景撮影モードを選択すると、カメラ１０の立ち上がり時には、図３２（ａ）に示すように風景撮影モードであることを示すモードマーク３０６を含む表示が行われる。やがて、風景撮影モードによる撮影可能な状態になると、図３２（ｂ）に示すような表示に切り換わる。風景撮影モードの場合、マクロモードの設定は禁止されるため、十字キーのうち左キー４４Ｌは無効なキーとなり、ドットマトリックス液晶４６の左表示部４６Ｌは無表示となる。右キー４４Ｒはストロボ設定キーの機能が割り当てられており、右表示部４６Ｒにはストロボ設定機能とその設定状態を示すマークが表示される。
【０１８５】
モードダイヤル３２で夜景撮影モードを選択すると、カメラ１０の立ち上がり時には、図３３（ａ）に示すように夜景撮影モードであることを示すモードマーク３０６を含む表示が行われる。やがて、風景撮影モードによる撮影可能な状態になると、図３３（ｂ）に示すような表示に切り換わる。夜景撮影モードの場合もマクロモードの設定は禁止されるため、十字キーのうち左キー４４Ｌは無効なキーとなり、ドットマトリックス液晶４６の左表示部４６Ｌは無表示となる。右キー４４Ｒはストロボ設定キーの機能が割り当てられており、右表示部４６Ｒにはストロボ設定機能とその設定状態を示すマークが表示される。
【０１８６】
上記実施の形態では、記録媒体としてカメラ本体に着脱自在な外部記録媒体（リムーバブルメディア）を用いたが、記録媒体をカメラに内蔵される内部メモリ（或いは内蔵ハードディスク）とする構成も可能である。この場合、内部メモリに格納された画像データは、有線又は無線の通信手段（インターフェース）を介して外部に出力されることになる。
【０１８７】
上記説明では、本発明をデジタルカメラに適用した例を述べたが、本発明の適用範囲はこれに限らず、携帯情報端末（ＰＤＡ）、オーディオ機器などのリモコン送信機など、種々の電子機器に適用することができる。特に、本発明により少ないキー操作部によって多機能指令が可能であるため、携帯用の機器への適用が効果的である。
【０１８８】
〔付記〕
また、本明細書は、以下の発明（１）〜（８）をも開示する。
【０１８９】
発明（１）：ユーザーの指示を機器に入力するための入力装置であって、文字や図形を表示し得る表示部と、前記表示部の周囲に配置された操作キーと、を備え、前記表示部には前記操作キーの機能及び前記操作キーにより設定される機器の状態を示す情報が表示されることを特徴とする入力装置。
【０１９０】
発明（１）によれば、一つの操作キーには複数の機能を割り当てることができ、状況に応じて機能が切り換わる多機能キーとして使用できる。操作キーは表示部の周りに配置されており、該表示部において操作キーの機能と機器の状態が表示される。これにより、少ないキーでも操作性の良い入力装置が実現できる。
【０１９１】
発明（２）：前記操作キーの機能と状態を示す情報は、前記表示部において対応する操作キーの近傍の位置に表示されることを特徴とする発明（１）記載の入力装置。
【０１９２】
発明（３）：前記操作キーとして、前記表示部の上下左右の４つの位置にそれぞれ操作キーが配置されており、前記表示部には前記４つの操作キーのうち少なくとも一つの操作キーの機能とその操作キーにより設定される機器のモード状態を示す情報が、当該操作キーの近傍の表示エリアに表示されることを特徴とする発明（１）記載の入力装置。
【０１９３】
発明（４）：前記表示部は、前記４つの操作キーの近傍に位置する上表示部、下表示部、左表示部、右表示部及びこれらの中央に位置する中央表示部の５つの表示エリアに区分され、上下左右の各表示部には前記４つの操作キーの機能に関する情報が表示されるとともに、前記中央表示部には機器全体の動作モードを表す情報が表示されることを特徴とする発明（３）記載の入力装置。
【０１９４】
発明（５）：前記４つの操作キーのうち機能が割り与えられていないキーが存在する場合、当該操作キーの近傍に位置する表示エリアの表示が消されることを特徴とする発明（４）記載の入力装置。
【０１９５】
発明（６）：前記表示部はドットマトリックス表示部であることを特徴とする発明（１）乃至（５）の何れか１項に記載の入力装置。
【０１９６】
発明（７）：発明（１）乃至（６）の何れか１項に記載の入力装置と、撮像素子と、前記撮像素子を介して取得した画像を記録媒体に記録する記録手段と、を備えたことを特徴とする電子カメラ。
【０１９７】
発明（８）：発明（７）記載の電子カメラにおいて、該電子カメラは、前記記録手段により画像を記録する撮影モードと、記録媒体に格納されている画像を再生する再生モードとを有し、これらモードの切り換えに応じて前記表示部の表示内容が切り換えられることを特徴とする電子カメラ。
【０１９８】
以上説明したように本発明に係る入力装置によれば、表示部の周囲に多機能な操作キーを配置した操作部を構成し、この表示部に操作キーの機能と状態を表示するようにしたので、少ないキーでも操作性の良い入力装置を実現できる。
【０１９９】
また、複数の操作キーのうち機能が割り与えられていないキーについて、前記表示部における表示を消すようにしたので、ユーザーは無効な操作キーを一見して理解できる。
【０２００】
本発明の入力装置を電子カメラに適用することにより、小型で多機能なカメラを達成でき、操作性の向上を図ることができる。
【図面の簡単な説明】
【０２０１】
【図１】本発明が適用されるデジタルカメラの正面図
【図２】図１に示したカメラの平面図
【図３】図１に示したカメラの背面図
【図４】モードダイヤルの拡大図
【図５】本例のデジタルカメラの構成を示すブロック図
【図６】動画撮影モードによるカメラの動作手順を示す説明図
【図７】動画撮影モードによるカメラの動作手順を示す説明図
【図８】動画撮影モードによるカメラの動作手順を示す説明図
【図９】動画撮影モードによるカメラの動作手順を示す説明図
【図１０】マニュアル撮影モードによる立ち上げ時のドットマトリックス液晶の表示例を示す図
【図１１】マニュアル撮影モードによるカメラの動作手順を示す説明図
【図１２】マニュアル撮影モードによるカメラの動作手順を示す説明図
【図１３】マニュアル撮影モードによるカメラの動作手順を示す説明図
【図１４】オート撮影モードによる立ち上げ時のドットマトリックス液晶の表示例を示す図
【図１５】オート撮影モードによるカメラの動作手順を示す説明図
【図１６】再生モードによる立ち上げ時のドットマトリックス液晶の表示例を示す図
【図１７】静止画ファイルの再生動作の手順を示す説明図
【図１８】静止画ファイルの再生動作の手順を示す説明図
【図１９】再生静止画メニューが切り換えられる様子を示す説明図
【図２０】動画ファイルの再生動作の手順を示す説明図
【図２１】動画ファイルの再生動作の手順を示す説明図
【図２２】再生動画メニューが切り換えられる様子を示す説明図
【図２３】動画ファイルのインデックス画を作成する手順を示す説明図
【図２４】再生モードにおける早送りモードの説明図
【図２５】再生モードにおける早送りモードの説明図
【図２６】サムネイル一覧表示の例を示す説明図
【図２７】サムネイル一覧表示のページ切り換え方法を示す説明図
【図２８】セットアップモード時のドットマトリックス液晶における表示例を示す図
【図２９】連写モード時のドットマトリックス液晶における表示例を示す図
【図３０】人物撮影モード時のドットマトリックス液晶における表示例を示す図
【図３１】ストロボモード表示が切り換えられる様子を示す説明図
【図３２】風景撮影モード時のドットマトリックス液晶における表示例を示す図
【図３３】夜景撮影モード時のドットマトリックス液晶における表示例を示す図
【符号の説明】
【０２０２】
１０…カメラ（電子カメラ、機器）、３０…レリーズボタン、３２…モードダイヤル、４２…モード選択レバー、４４…十字キー（操作キー）、４６…ドットマトリックス液晶（表示部）、４６Ｕ…上表示部、４６Ｄ…下表示部、４６Ｌ…左表示部、４６Ｒ…右表示部、４６Ｃ…中央表示部、６６…ＣＣＤ（撮像素子）、１２０…メモリカード（記録媒体）
【図１】
0004534176.tif 000002
【図２】
0004534176.tif 000003
【図３】
0004534176.tif 000004
【図４】
0004534176.tif 000005
【図５】
0004534176.tif 000006
【図６】
0004534176.tif 000007
【図７】
0004534176.tif 000008
【図８】
0004534176.tif 000009
【図９】
0004534176.tif 000010
【図１０】
0004534176.tif 000011
【図１１】
0004534176.tif 000012
【図１２】
0004534176.tif 000013
【図１３】
0004534176.tif 000014
【図１４】
0004534176.tif 000015
【図１５】
0004534176.tif 000016
【図１６】
0004534176.tif 000017
【図１７】
0004534176.tif 000018
【図１８】
0004534176.tif 000019
【図１９】
0004534176.tif 000020
【図２０】
0004534176.tif 000021
【図２１】
0004534176.tif 000022
【図２２】
0004534176.tif 000023
【図２３】
0004534176.tif 000024
【図２４】
0004534176.tif 000025
【図２５】
0004534176.tif 000026
【図２６】
0004534176.tif 000027
【図２７】
0004534176.tif 000028
【図２８】
0004534176.tif 000029
【図２９】
0004534176.tif 000030
【図３０】
0004534176.tif 000031
【図３１】
0004534176.tif 000032
【図３２】
0004534176.tif 000033
【図３３】
0004534176.tif 000034